(57)【要約】【課題】ハンド子機のコネクタを含めた接続部分が壁面から前方へ大きく突出することがないナースコール子機におけるコネクタ構造を提供する。【解決手段】プレート子機１１において、ピン２０ａが設置面Ｗに対して２４°の傾斜角度で下側を向くような姿勢でプレート側コネクタ２０を取り付けることにより、該プレート側コネクタ２０にハンド側コネクタ３５を接続した際、設置面Ｗに直交する方向へ差し込んでいた従来のコネクタ構造と比較して、設置面Ｗからのハンド側コネクタ３５の突出量が小さくなるようにした。【選択図】図９
2014171528.tif 000002
【特許請求の範囲】
【請求項１】
壁面等の設置面に設置されるプレート子機と、患者等により操作されるハンド子機とからなり、前記ハンド子機のハンド側コネクタを、前記プレート子機のプレート側コネクタへ差し込むことによって、前記プレート子機と前記ハンド子機とを電気的に接続可能としたナースコール子機におけるコネクタ構造であって、
前記プレート側コネクタを、本体ケース内に収納する一方、前記本体ケースの前面に、前記ハンド側コネクタを前記本体ケース内へ差し込むための差込孔を設けるとともに、
前記本体ケース内において、前記プレート側コネクタを、前記ハンド側コネクタの前記プレート側コネクタへの差し込み方向が前記設置面に直交する方向とはならないように、前記設置面に対して所定角度だけ傾斜した姿勢としたことを特徴とするナースコール子機におけるコネクタ構造。
【請求項２】
前記差込孔の前方を覆うように、前記ハンド子機を引っ掛けるためのフックを設けるとともに、前記フックを、前記差込孔の前方を覆う位置と前記差込孔を露出させる位置との間で移動可能としたことを特徴とする請求項１に記載のナースコール子機におけるコネクタ構造。
【請求項３】
前記本体ケース内の後側に第１基板を、前記本体ケース内の前側に第２基板を夫々設けた前記プレート子機において、
前記第１基板と前記第２基板との間に前記プレート側コネクタの一部を位置させたことを特徴とする請求項１又は２に記載のナースコール子機におけるコネクタ構造。
【発明の詳細な説明】
【技術分野】
【０００１】
本発明は、ナースコール親機や廊下灯、制御機等からなるナースコールシステムを構成するナースコール子機において、ハンド子機とプレート子機との接続に係るコネクタ構造に関するものである。
【背景技術】
【０００２】
従来、一般的なナースコールシステムには、たとえば病室内の各ベッド毎にその近傍位置に設置され、患者がナースステーションに設置されたナースコール親機を呼び出す等するためのナースコール子機が設けられている。そのようなナースコール子機は、概して壁面等に設置されるプレート子機と、患者が操作可能なボタン等を備えたハンド子機とを有してなる。そして、プレート子機とハンド子機とは、各子機毎に設けられているコネクタ同士を接続する態様で接続されている（たとえば特許文献１）。すなわち、たとえばプレート子機が壁面へ設置されているとすると、１又は複数のピンが突設された形状のハンド子機のコネクタ（所謂プラグ）を、プレート子機の前面に設けられたプレート子機側コネクタ（所謂レセプタクル）に対して壁面に直交する前後方向へ差し込む等して、プレート子機とハンド子機とを接続していた。また、プレート子機にフックを設ける一方、ハンド子機にフックへ引っ掛けるためのハンガーを設け、たとえば使用していないハンド子機をプレート子機へ引っ掛けておくような使い方を可能としていた。
【先行技術文献】
【特許文献】
【０００３】
【特許文献１】特開２００５−３５４５３６号公報
【発明の概要】
【発明が解決しようとする課題】
【０００４】
しかしながら、上記従来のコネクタ接続構造では、ハンド子機のコネクタを含めた接続部分が壁面から前方へ大きく突出することになるため、患者や看護人が誤って手を引っ掛けてしまう等しやすく、コネクタ同士の接続が外れてしまいやすい、コネクタが破損しやすい等の問題がある。また、ハンド子機をプレート子機へ引っ掛ける際、コネクタの接続部分が邪魔となり、ハンド子機をプレート子機に引っ掛けづらい、引っ掛けておいたハンド子機が脱落しやすい等の問題もある。
【０００５】
そこで、本発明は、ハンド子機のコネクタを含めた接続部分が壁面から前方へ大きく突出することがなく、上述したような問題が生じないナースコール子機におけるコネクタ構造を提供しようとするものである。
【課題を解決するための手段】
【０００６】
上記目的を達成するために、本発明のうち請求項１に記載の発明は、壁面等の設置面に設置されるプレート子機と、患者等により操作されるハンド子機とからなり、ハンド子機のハンド側コネクタを、プレート子機のプレート側コネクタへ差し込むことによって、プレート子機とハンド子機とを電気的に接続可能としたナースコール子機におけるコネクタ構造であって、プレート側コネクタを、本体ケース内に収納する一方、本体ケースの前面に、ハンド側コネクタを本体ケース内へ差し込むための差込孔を設けるとともに、本体ケース内において、プレート側コネクタを、ハンド側コネクタのプレート側コネクタへの差し込み方向が設置面に直交する方向とはならないように、設置面に対して所定角度だけ傾斜した姿勢としたことを特徴とする。
請求項１に記載の発明によれば、本体ケース内において、プレート側コネクタを、ハンド側コネクタのプレート側コネクタへの差し込み方向が設置面に直交する方向とはならないように、設置面に対して所定角度だけ傾斜した姿勢で設けているため、設置面に直交する方向へ差し込んでいた従来のコネクタ構造と比較して、設置面からのハンド側コネクタの突出量を小さくすることができる。
【０００７】
請求項２に記載の発明は、請求項１に記載の発明において、差込孔の前方を覆うように、ハンド子機を引っ掛けるためのフックを設けるとともに、フックを、差込孔の前方を覆う位置と差込孔を露出させる位置との間で移動可能としたことを特徴とする。
請求項２に記載の発明によれば、差込孔の前方を覆うように、ハンド子機を引っ掛けるためのフックを設けるとともに、フックを、差込孔の前方を覆う位置と差込孔を露出させる位置との間で移動可能としているため、フックを差込孔とを重ならないように上下若しくは左右に並設していた従来のコネクタ構造と比較して、プレート子機の更なる小型化を図ることができる。また、ハンド側コネクタを差込孔へ差し込む際には、フックを移動させて差込孔を露出させればよいため、コネクタ接続に係る作業性が悪化することもない。さらに、フックが差込孔の前方を覆っているため、差込孔から埃等が本体ケース内へ侵入しにくい構成となっている。
【０００８】
請求項３に記載の発明は、請求項１又は２に記載の発明において、本体ケース内の後側に第１基板を、本体ケース内の前側に第２基板を夫々設けたプレート子機において、第１基板と第２基板との間にプレート側コネクタの一部を位置させたことを特徴とする。
請求項３に記載の発明によれば、本体ケース内の後側に第１基板を、本体ケース内の前側に第２基板を夫々設けたプレート子機において、第１基板と第２基板との間にプレート側コネクタの一部を位置させるといったように、基板間の空間を利用してプレート側コネクタを取り付けている。したがって、本体ケース内のスペースを有効に利用することができ、プレート子機の一層の小型化を図ることができる。
【発明の効果】
【０００９】
本発明によれば、設置面に直交する方向へ差し込んでいた従来のコネクタ構造と比較して、設置面からのハンド側コネクタの突出量が小さくなるため、患者や看護人が誤って手を引っ掛けてしまう等しにくく、コネクタの接続が外れにくい、コネクタが破損しにくい等の効果がある。また、ハンド子機をプレート子機へ引っ掛ける際にも、コネクタの接続部分が邪魔となりにくいため、ハンド子機をプレート子機に引っ掛けやすい、引っ掛けておいたハンド子機が脱落しにくい等といった効果もある。
【図面の簡単な説明】
【００１０】
【図１】ナースコールシステムの全体構成を示したシステム説明図である。
【図２】プレート子機を前方から示した説明図である。
【図３】プレート子機を側方から示した説明図である。
【図４】化粧パネルを外した状態にあるプレート子機を前方から示した説明図である。
【図５】図４中のＡ−Ａ線断面を示した説明図である。
【図６】分解した状態にあるプレート子機の斜視説明図である。
【図７】フックが起立姿勢にあるプレート子機を前方から示した説明図である。
【図８】フックが起立姿勢にあるプレート子機を側方から示した説明図である。
【図９】プレート側コネクタとハンド側コネクタとを接続した状態にあるプレート子機の断面を示した説明図である。
【図１０】傾倒姿勢にあるフックへハンド子機を引っ掛けた状態を示した説明図である。
【図１１】起立姿勢にあるフックへハンド子機を引っ掛けた状態を示した説明図である。
【発明を実施するための形態】
【００１１】
以下、本発明の一実施形態となるナースコール子機におけるコネクタ構造について、図面にもとづき詳細に説明する。
【００１２】
まず、ナースコールシステム１の全体的な構成について、図１をもとに簡略に説明する。図１は、ナースコールシステム１の全体構成を示したシステム説明図である。
ナースコールシステム１は、病室内で各ベッド毎にその近傍位置に設置され、患者が看護人を呼び出す等するためのナースコール子機２、２・・と、病室の出入口の近傍に設置されナースコール子機２の操作を点滅等で報知する廊下灯３、３・・と、ナースステーション等に設置され、ナースコール子機２、２・・からの呼び出しに応答する等するためのナースコール親機４と、それら機器の通話動作等を制御する制御機５とを有してなる。そして、ナースコール子機２、２・・、廊下灯３、３・・、ナースコール親機４、及び制御機５は、ラインＬを介して電気的に接続されている。また、各ナースコール子機２は、壁面等の設置面Ｗに設置されるプレート子機１１と、患者が操作可能なボタン部１２ａ等を備えたハンド子機１２とを有してなり、両子機１１、１２は後述の如くコネクタ接続されている。
【００１３】
ここで、本発明の要部となるナースコール子機２においてプレート子機１１とハンド子機１２とをコネクタ接続するための構造について、図２〜図９をもとに説明する。
図２は、プレート子機１１を前方から示した説明図であり、図３は、プレート子機１１を側方から示した説明図である。図４は、化粧パネル１３を外した状態にあるプレート子機１１を前方から示した説明図であり、図５は、図４中のＡ−Ａ線断面を示した説明図である。図６は、分解した状態にあるプレート子機１１の斜視説明図である。図７は、フック２７が起立姿勢にあるプレート子機１１を前方から示した説明図であり、図８は、フック２７が起立姿勢にあるプレート子機１１を側方から示した説明図である。図９は、プレート側コネクタ２０とハンド側コネクタ３５とを接続した状態にあるプレート子機１１の断面を示した説明図である。
【００１４】
まず、プレート子機１１の構造について説明すると、プレート子機１１は、設置面Ｗ内に埋設される収納ボックス１４、及び該収納ボックス１４の前面側に組み付けられる蓋体１５からなる本体ケースと、蓋体１５の周縁部を覆うように組み付けられる化粧パネル１３とを備えてなる。収納ボックス１４は、前面に開口を有する合成樹脂製の箱体であって、収納ボックス１４内の後側には廊下灯３へ各種信号を出力するための本体基板１７が、前側には自身に設けられたボタン１８の押し込み操作によりＯＮ／ＯＦＦされるスイッチを搭載したスイッチ基板１９が夫々内蔵されている。また、収納ボックス１４内には、ハンド子機１２のハンド側コネクタ３５を接続するためのプレート側コネクタ２０が内蔵されている。プレート側コネクタ２０は、１本のピン２０ａを有する所謂オスのコネクタであって、ピン２０ａが設置面Ｗに対して２４°の傾斜角度で下側を向くような姿勢で取り付けられている。また、プレート側コネクタ２０の基端側の一部は、前後方向で上記本体基板１７とスイッチ基板１９とに挟まれた空間内に位置している。なお、２１は、プレート側コネクタ２０を取り付けたり、スイッチ基板１９を設置したりするための保持フレームであって、収納ボックス１４内に固定されている。また、該保持フレーム２１には、収納ボックス１４内へ差し込まれたハンド側コネクタ３５をプレート側コネクタ２０へ案内するための案内面２１ａが設けられている。さらに、２２は、プレート子機１１を壁面に設置するためのネジ止め板であって、収納ボックス１４の前面開口縁に設けられたフランジ部２３に取り付け可能となっている。
【００１５】
一方、蓋体１５は、収納ボックス１４の前面開口を覆うように組み付けられる板状部材であって、中央から下部にかけてハンド側コネクタ３５を収納ボックス１４内へ差し込むための差込孔２４が開設されている。また、蓋体１５の上部には、ボタンプレート２５が設けられており、押し込み操作によって廊下灯３の点滅を停止させるためのボタン１８がボタンプレート２５に接するように取り付けられている。さらに、差込孔２４とボタンプレート２５との間に軸受け部２６が設けられており、該軸受け部２６に、ハンド子機１２を引っ掛けるためのフック２７が左右方向を軸として回動自在に設けられている。
【００１６】
フック２７は、上下方向に延びる舌片部２８と、舌片部２８の下端から前方へ突出した後に上方へ折り曲げられた湾曲片部２９と、上端に軸部３０を有し、舌片部２８の周囲に舌片部２８と一体的に設けられた枠部３１とからなる。そして、該フック２７は、図２や図３に示す如くフック２７の後面が蓋体１５の前面に当接する傾倒姿勢と、図７や図８に示す如くフック２７の後面が蓋体１５に対して略９０°となる起立姿勢との間を回動可能となっている。また、フック２７が傾倒姿勢にある際、舌片部２８が差込孔２４の前方を前面視で覆っている。ただ、舌片部２８は、前方へ円弧状に膨出する膨出状で、その前方への膨出量が下方へ向かうにしたがい徐々に大きくなるように形成されており、フック２７が傾倒姿勢にある際、フック２７の舌片部２８の後面と蓋体１５の前面との間に、差込孔２４へ差し込まれたハンド側コネクタ３５のケーブル３６の挿通を許容するスペース３２が形成されるようになっている。なお、フック２７の重心は、壁面を設置面Ｗとして設置すると自動的に傾倒姿勢となるような位置にある。また、壁面から前方へ張り出す張り出し部が設けられているような場合、その張り出し部の天面を設置面Ｗとし、蓋体１５が下方を向くような姿勢でプレート子機１１を設置すると、フック２７が自重により垂れ下がり、傾倒姿勢からフック２７の後面が蓋体１５に対して略６０°となる起立姿勢へと移動するようになっている。
【００１７】
次に、上述したようなプレート子機１１の使用態様について、壁面を設置面Ｗとしてプレート子機１１を設置したとして説明すると、プレート子機１１は、蓋体１５を前方へ向けた姿勢で壁面に設置されており、フック２７は上述したように傾倒姿勢にある。そして、ハンド子機１２を接続する際には、フック２７を持ち上げ起立姿勢として差込孔２４を露出させ、差込孔２４からハンド側コネクタ３５を差し込み、プレート側コネクタ２０に接続させればよい。その後、フック２７の持ち上げを解除すれば、フック２７は自重で傾倒姿勢側へと回動し、スペース３２内へケーブル３６を収容した状態で傾倒姿勢をとる。そして、ハンド子機１２を使用していない際には、図１０に示す如くハンド子機１２に備えられたハンガー３７をフック２７へ引っ掛けておけばよい。一方、上述したような天面を設置面Ｗとしてプレート子機１１を設置すると、フック２７は自重で垂れ下がり起立姿勢となる。そこで、フック２７を持ち上げたりすることなく、その状態のままハンド側コネクタ３５をプレート側コネクタ２０に接続すればよい。また、使用していないハンド子機１２についても、上記同様、図１１に示す如く起立姿勢にあるフック２７へハンガー３７を引っ掛けておけばよい。なお、ハンド子機１２のハンド側コネクタ３５は、ピン２０ａが嵌入可能な受け口３５ａを有する所謂メスのコネクタとなっている。
【００１８】
以上のような構成を有するナースコール子機２におけるコネクタ構造によれば、プレート子機１１において、ピン２０ａが設置面Ｗに対して２４°の傾斜角度で下側を向くような姿勢でプレート側コネクタ２０を取り付けているため、該プレート側コネクタ２０にハンド側コネクタ３５を接続した際、設置面Ｗに直交する方向へ差し込んでいた従来のコネクタ構造と比較して、設置面Ｗからのハンド側コネクタ３５の突出量を小さくすることができる。したがって、患者や看護人が誤って手を引っ掛けてしまう等しにくく、プレート側コネクタ２０とハンド側コネクタ３５との接続が外れにくい、プレート側コネクタ２０やハンド側コネクタ３５が破損しにくい等の効果がある。また、ハンド子機１２をプレート子機１１へ引っ掛ける際にも、プレート側コネクタ２０とハンド側コネクタ３５との接続部分が邪魔となりにくいため、ハンド子機１２をプレート子機１１に引っ掛けやすい、引っ掛けておいたハンド子機１２が脱落しにくい等といった効果もある。
また、収納ボックス１４内において本体基板１７とスイッチ基板１９との間の空間を利用してプレート側コネクタ２０を取り付けている。したがって、収納ボックス１４内のスペースを有効に利用することができ、プレート子機１１の小型化を図ることができる。
【００１９】
さらに、ハンド子機１２を引っ掛けるためのフック２７を、差込孔２４の前方を覆うような位置で回動自在に設けている。したがって、フック２７と差込孔２４とを重ならないように上下若しくは左右に並設していた従来のコネクタ構造と比較して、プレート子機１１の更なる小型化を図ることができる。さらにまた、ハンド側コネクタ３５を差込孔２４へ差し込む際には、フック２７を回動させれば差込孔２４が露出するため、コネクタ接続に係る作業性が悪化することもない。またさらに、傾倒姿勢にあるフック２７が差込孔２４の前方を覆っているため、差込孔２４から埃等が収納ボックス１４内へ侵入しにくい構成となっている。
加えて、天面を設置面Ｗとしてプレート子機１１を設置した際、フック２７が自重で垂れ下がり起立姿勢をとる。したがって、上記設置態様で利用する専用のフック等を設けることなく、ハンド子機１２を引っ掛けることができるため、利便性に富むし、部品点数が少なくてすむ、プレート子機１１の一層の小型化を図ることができる等の効果もある。
【００２０】
なお、本発明に係るナースコール子機におけるコネクタ構造は、上記実施形態の態様に何ら限定されるものではなく、ナースコール子機の全体的な構成は勿論、フックやコネクタ等の構成について、本発明の趣旨を逸脱しない範囲で、必要に応じて適宜変更することができる。
【００２１】
たとえば、上記実施形態では、プレート側コネクタ２０の姿勢を、ピン２０ａが設置面Ｗに対して２４°の傾斜角度で下側を向くような姿勢としているが、傾斜角度に関しては適宜変更可能である。ただ、傾斜角度が２０°〜３０°の範囲内であると好ましい。
また、プレート側コネクタ２０をメスのコネクタとし、ハンド側コネクタ３５をオスのコネクタとすることも可能である。
さらに、フック２７についても回動自在としたり、差込孔２４の前方を覆うような位置に設けずともよく、従来同様、差込孔２４の上下左右に隣接して蓋体に固着してしまうような構成であっても何ら問題はない。
加えて、上記実施形態では、フック２７を移動させる機構として回動機構を採用しているが、それに代えてたとえばスライド機構等の別途機構を採用することも可能である。
【符号の説明】
【００２２】
１・・ナースコールシステム、２・・ナースコール子機、１１・・プレート子機、１２・・ハンド子機、１４・・収納ボックス（本体ケース）、１５・・蓋体（本体ケース）、１７・・本体基板、１９・・スイッチ基板、２０・・プレート側コネクタ、２０ａ・・ピン、２１・・保持フレーム、２１ａ・・案内面、２４・・差込孔、２６・・軸受け部、２７・・フック、３２・・スペース、３５・・ハンド側コネクタ、３６・・ケーブル、３７・・ハンガー。
【図１】
2014171528.tif 000003
【図２】
2014171528.tif 000004
【図３】
2014171528.tif 000005
【図４】
2014171528.tif 000006
【図５】
2014171528.tif 000007
【図６】
2014171528.tif 000008
【図７】
2014171528.tif 000009
【図８】
2014171528.tif 000010
【図９】
2014171528.tif 000011
【図１０】
2014171528.tif 000012
【図１１】
2014171528.tif 000013